(57)【要約】【課題】ハードディスクを内蔵した記録再生装置において、ハードディスク等の記録媒体で整理・分類したデータをダビングするのに新たなディスク状記録媒体を交換することなくダビングする。【解決手段】テレビジョン放送の映像データを入力してハードディスクまたはディスク状記録媒体の少なくとも一方から記録された映像データを読み出して外部に出力する記録再生装置において、ディスク状記録媒体を複数配置し、番組情報取得手段によって取得された番組情報を基に、複数のディスク状記録媒体の中から映像データの記録を行うディスク状記録媒体を選択し、上記選択されたディスク状記録媒体に、上記ハードディスクに記録された映像データを記録する。【選択図】図５
2007141412.tif 000002
【特許請求の範囲】
【請求項１】
ハードディスクに対して映像データの記録および読み出しを行うハードディスク記録再生装置と、
ＤＶＤメディアに対して映像データの記録および読み出しを行うディスク記録再生装置と、
電子番組表の情報が多重化したテレビジョン放送の映像データから上記電子番組表の情報を分離する番組情報取得手段とを備え、
上記テレビジョン放送の映像データを入力して上記ハードディスクと上記ＤＶＤメディアの少なくとも一方に対して同入力した映像データの記録を行うとともに、同ハードディスクまたはＤＶＤメディアの少なくとも一方から記録された上記映像データを読み出して外部に出力するハードディスク内蔵型記録再生装置において、
上記ディスク記録再生装置は、上記ＤＶＤメディアを複数配置し、上記電子番組表の情報取得手段によって取得された電子番組表の情報を基に、上記複数のＤＶＤメディアの中から上記映像データの記録を行う上記ＤＶＤメディアを選択するディスク選択部を有し、  上記選択されたディスク状記録媒体に、上記ハードディスクに記録された映像データを記録し、
上記ディスク選択部は、上記複数のＤＶＤメディアのうち上記映像データを記録するＤＶＤメディアを選択する操作入力を受け付けるとともに、選択されたＤＶＤメディアに記録される上記電子番組表の情報の条件の操作入力を受け付け、
上記ディスク選択部は、上記分離された電子番組表の情報と上記受け付けられた条件とを対比し、上記対比結果に従ってハードディスクに記録された映像データを記録する上記ディスク状記録媒体を選択し、
上記電子番組表の情報にはテレビジョン放送の番組のタイトルを表す情報が含まれ、
上記ディスク選択部は、上記分離された電子番組表の情報に含まれるタイトルに基づいて上記対比を行い上記複数のＤＶＤメディアの中から上記映像データの記録を行うＤＶＤメディアを選択する第一の選択手段を有し、
上記電子番組表の情報にはテレビジョン放送の番組の時間情報を表す情報が含まれ、
上記ディスク選択部は、上記分離された電子番組表の情報に含まれる時間情報に基づいて上記対比を行い上記複数のＤＶＤメディアの中から上記映像データの記録を行うＤＶＤメディアを選択する第二の選択手段を有することを特徴とするハードディスク内蔵型記録再生装置。
【請求項２】
ハードディスクに対して映像データの記録および読み出しを行うハードディスク記録再生手段と、
ディスク状記録媒体に対して映像データの記録および読み出しを行うディスク記録再生手段と、
番組情報が多重化したテレビジョン放送の映像データから上記番組情報を分離する番組情報取得手段とを備え、
上記テレビジョン放送の映像データを入力して上記ハードディスクと上記ディスク状記録媒体の少なくとも一方に対して同入力した映像データの記録を行うとともに、同ハードディスクまたはディスク状記録媒体の少なくとも一方から記録された上記映像データを読み出して外部に出力する記録再生装置において、
上記ディスク記録再生手段は、上記ディスク状記録媒体を複数配置し、上記番組情報取得手段によって取得された番組情報を基に、上記複数のディスク状記録媒体の中から上記映像データの記録を行う上記ディスク状記録媒体を選択するディスク選択手段を有し、  上記選択されたディスク状記録媒体に、上記ハードディスクに記録された映像データを記録することを特徴とする記録再生装置。
【請求項３】
上記ディスク選択手段は、上記複数のディスク状記録装置のうち上記映像データを記録するディスク状記録媒体を選択する操作入力を受け付けるとともに、選択されたディスク状記録媒体に記録される上記番組情報の条件の操作入力を受け付け、
上記ディスク選択手段は、上記分離された番組情報と上記受け付けられた条件とを対比し、上記対比結果に従って上記分離された番組情報に対応した上記ディスク状記録媒体に分離された番組情報に対応する映像データを記録することを特徴とする請求項２に記載の記録再生装置。
【請求項４】
上記番組情報にはテレビジョン放送の番組のタイトルを表す情報が含まれ、
上記ディスク選択手段は、上記分離された番組情報に含まれるタイトルに基づいて上記複数のディスク状記録媒体の中から上記映像データの記録を行うディスク状記録媒体を選択することを特徴とする請求項２または請求項３のいずれかに記載の記録再生装置。
【請求項５】
上記番組情報にはテレビジョン放送の番組の時間情報を表す情報が含まれ、
上記ディスク選択手段は、上記分離された番組情報に含まれる時間情報に基づいて上記複数のディスク状記録媒体の中から上記映像データの記録を行うディスク状記録媒体を選択することを特徴とする請求項２〜請求項４のいずれかに記載の記録再生装置。
【請求項６】
上記番組情報取得手段が取得する番組情報は電子番組表であることを特徴とする請求項２〜請求項５のいずれかに記載の記録再生装置。
【発明の詳細な説明】
【技術分野】
【０００１】
本発明は、記録再生装置または、ハードディスク内蔵型記録再生装置に関し、特に、映像音声信号を記録再生する記録再生装置または、ハードディスク内蔵型記録再生装置に関する。
【背景技術】
【０００２】
記録媒体の容量増大と映像データなどの圧縮技術の進歩により、テレビ番組を多数記録しておくことが可能な記録媒体が多数登場している。現在ビデオデッキ等の記録再生装置の分野において、本体に大容量のメモリー持つハードディスクを内蔵するものが普及している。ハードディスクはその構造上ランダムアクセスが可能であるため、これらの記録媒体を用いた記録再生装置では、このランダムアクセス性能を利用して、従来のビデオカセットテープでは実現が困難な機能を実現することが可能である。
【０００３】
例えば、ハードディスクに記録されたデータを整理・分類して記憶媒体である光ディスクに記録する機能を使用すれば、一週間に放送されたテレビ放送の番組をすべてハードディスクに記録しておき、ハードディスクに記録された番組のタイトルやジャンルに応じて整理・分類を行った後、必要な番組だけを選択し記録媒体に記録させることができる。
【０００４】
しかし、大量のデータをハードディスクに記録させることが可能になった一方で、他方では、ハードディスクから記録媒体にデータを移すのにユーザがハードディスクに記録されているデータのタイトルの一覧をテレビジョンモニター等に表示させ、その中から必要なものを選択して記録媒体に記録させるという操作が一般に行われていた。
【０００５】
このように、ハードディスクから記録媒体にデータを移すのに、ユーザーにテレビジョンモニター等にデータのタイトルを表示させ、それを個々に選択して記録させるという面倒な操作を行わせる必要があった。ハードディスクから記録媒体にデータを移す方法を改善するために、ハードディスクに番組タイトルやジャンル等の番組情報を書き込むライブラリ作成機能を備え、上記ライブラリに基づいてハードディスクにデータの記録を行うことで、ユーザーが番組タイトル等を指示すると、自動で上記ライブラリに記録された番組情報に基づいてハードディスクから記録媒体にデータを移す方法が知られている（例えば特許１を参照。）。
【０００６】
【特許文献１】特開２００２−２９０８９２号
【０００７】
通常このようなハードディスクに記録されたデータの選択方法として、電子番組表（ＥＰＧ）等が利用される。電子番組表は、放送チャンネル数の増加によって、ユーザがテレビ画面上で番組検索や選択ならびに録画予約等を容易に行えるよう開発されたもので、テレビジョン放送の映像データに多重化されて配信される場合と、インターネットによって配信される２通りの配信方法が取られている。
【発明の開示】
【発明が解決しようとする課題】
【０００８】
上述した特許文献１における記録再生装置においては、次のような課題があった。
すなわち、ハードディスク内で情報を整理・分類して、分類ごとに異なる記録媒体に記録させる場合、ハードディスクからのデータを一度に記録することが可能な記録媒体は一つしかないため、一つのデータを記録媒体に記録させた後、ユーザが他の分類データを記録するために記録媒体を交換する必要があった。
【０００９】
本発明は、上記課題にかんがみてなされたもので、ハードディスク等の記録媒体で整理・分類したデータをダビングするのに新たな記録媒体を交換することなくダビング可能な記録再生装置または、ハードディスク内蔵型記録再生装置の提供を目的とする。
【課題を解決するための手段】
【００１０】
上記目的を達成するため、請求項１にかかる発明は、ハードディスクに対して映像データの記録および読み出しを行うハードディスク記録再生装置と、ＤＶＤメディアに対して映像データの記録および読み出しを行うディスク記録再生装置と、電子番組表の情報が多重化したテレビジョン放送の映像データから上記電子番組表の情報を分離する番組情報取得手段とを備え、上記テレビジョン放送の映像データを入力して上記ハードディスクと上記ＤＶＤメディアの少なくとも一方に対して同入力した映像データの記録を行うとともに、同ハードディスクまたはＤＶＤメディアの少なくとも一方から記録された上記映像データを読み出して外部に出力するハードディスク内蔵型記録再生装置において、上記ディスク記録再生装置は、上記ＤＶＤメディアを複数配置し、上記電子番組表の情報取得手段によって取得された電子番組表の情報を基に、上記複数のＤＶＤメディアの中から上記映像データの記録を行う上記ＤＶＤメディアを選択するディスク選択部を有し、上記ディスク選択部は、上記複数のＤＶＤメディアのうち上記映像データを記録するＤＶＤメディアを選択する操作入力を受け付けるとともに、選択されたＤＶＤメディアに記録される上記電子番組表の情報の条件の操作入力を受け付け、上記ディスク選択部は、上記分離された電子番組表の情報と上記受け付けられた条件とを対比し、上記対比結果に従って上記選択されたＤＶＤメディアに分離された電子番組表の情報に対応する映像データを記録することを特徴とし、上記電子番組表の情報にはテレビジョン放送の番組のタイトルを表す情報が含まれ、上記ディスク選択部は、上記分離された電子番組表の情報に含まれるタイトルに基づいて上記対比を行い上記複数のＤＶＤメディアの中から上記映像データの記録を行うＤＶＤメディアを選択する第一の選択手段を有し、上記電子番組表の情報にはテレビジョン放送の番組の時間情報を表す情報が含まれ、上記ディスク選択部は、上記分離された電子番組表の情報に含まれる時間情報に基づいて上記対比を行い上記複数のＤＶＤメディアの中から上記映像データの記録を行うＤＶＤメディアを選択する第二の選択手段を有する構造である。
【００１１】
すなわち、上記ディスク記録再生装置は、上記ＤＶＤメディアを複数配置し、上記電子番組表の情報取得手段によって取得された電子番組表の情報を基に、上記複数のＤＶＤメディアの中から上記映像データの記録を行う上記ＤＶＤメディアを選択するディスク選択部を有する。また、上記ディスク選択部は、上記複数のＤＶＤメディアのうち上記映像データを記録するＤＶＤメディアを選択する操作入力を受け付けるとともに、選択されたＤＶＤメディアに記録される上記電子番組表の情報の条件の操作入力を受け付ける。上記ディスク選択部は、上記分離された電子番組表の情報と上記受け付けられた条件とを対比し、上記対比結果に従って上記選択されたＤＶＤメディアに分離された電子番組表の情報に対応する映像データを記録することを特徴とする。さらに、上記電子番組表の情報にはテレビジョン放送の番組のタイトルを表す情報が含まれ、上記ディスク選択部は、上記分離された電子番組表の情報に含まれるタイトルに基づいて上記対比を行い上記複数のＤＶＤメディアの中から上記映像データの記録を行うＤＶＤメディアを選択する第一の選択手段を有し、上記電子番組表の情報にはテレビジョン放送の番組の時間情報を表す情報が含まれ、上記ディスク選択部は、上記分離された電子番組表の情報に含まれる時間情報に基づいて上記対比を行い上記複数のＤＶＤメディアの中から上記映像データの記録を行うＤＶＤメディアを選択する第二の選択手段を有することを特徴とする。
【００１２】
このような、本体に内蔵されたハードディスクと複数のディスク状記録媒体を用いてハードディスクで整理・分類したデータをダビングするのに新たなディスク状記録媒体を交換することなくダビング可能な手法は、ハードディスク内蔵型記録再生装置に限られるものではなく他の手法に応用できる。そこで、請求項２にかかる発明は、ハードディスクに対して映像データの記録および読み出しを行うハードディスク記録再生手段と、ディスク状記録媒体に対して映像データの記録および読み出しを行うディスク記録再生手段と、番組情報が多重化したテレビジョン放送の映像データから上記番組情報を分離する番組情報取得手段とを備え、上記テレビジョン放送の映像データを入力して上記ハードディスクと上記ディスク状記録媒体の少なくとも一方に対して同入力した映像データの記録を行うとともに、同ハードディスクまたはディスク状記録媒体の少なくとも一方から記録された上記映像データを読み出して外部に出力する記録再生装置において、上記ディスク記録再生手段は、上記ディスク状記録媒体を複数配置し、上記番組情報取得手段によって取得された番組情報を基に、上記複数のディスク状記録媒体の中から上記映像データの記録を行う上記ディスク状記録媒体を選択するディスク選択手段を有し、上記選択されたディスク状記録媒体に、上記ハードディスクに記録された映像データを記録することを特徴とする。
【００１３】
すなわち、上記ディスク記録再生手段は、上記ディスク状記録媒体を複数配置し、上記番組情報取得手段によって取得された番組情報を基に、上記複数のディスク状記録媒体の中から上記映像データの記録を行う上記ディスク状記録媒体を選択するディスク選択手段を有し、上記選択されたディスク状記録媒体に、上記ハードディスクに記録された映像データを記録することを特徴とする。
【発明の効果】
【００１４】
以上説明したように本発明は、ハードディスク等の記録媒体で整理・分類したデータをダビングするのに同じ記録媒体に記録したくないときに、記録媒体を入れ替えすることなしで他の記録媒体に記録することが可能なハードディスク内蔵型記録再生装置または、記録再生装置を提供することができる。
また、請求項３にかかる発明によれば、ユーザが選択入力した番組情報を基にハードディスクに記録された映像データを自動で振り分け、ディスク状記録媒体に記録を行うハードディスク内蔵型記録再生装置または、記録再生装置を提供することができる。
また、請求項４にかかる発明によれば、ユーザが選択した番組のタイトルを基にハードディスクに記録された映像データを自動で振り分け、ディスク状記録媒体に記録を行うハードディスク内蔵型記録再生装置または、記録再生装置を提供することができる。
また、請求項５にかかる発明によれば、ユーザが選択した番組のタイトルを基にハードディスクに記録された映像データを自動で振り分け、ディスク状記録媒体に記録を行うハードディスク内蔵型記録再生装置または、記録再生装置を提供することができる。
また、請求項６にかかる発明によれば、電子番組表を基にハードディスクに記録された映像データを自動で振り分け、ディスク状記録媒体に記録を行うハードディスク内蔵型記録再生装置または、記録再生装置を提供することができる。
【発明を実施するための最良の形態】
【００１５】
以下、本発明の一実施の形態を図面に基づいて以下の項目ごとに説明する。
（１）ハードディスク内蔵型記録再生装置の構造。
（２）通常のデータ記録再生方法。
（３）ディスク記録再生装置の構造。
（４）変形例
（５）まとめ
【００１６】
（１）ハードディスク内蔵型記録装置の構造
図１は本発明の一実施の形態であるハードディスク内蔵型記録再生装置１のブロック構造図である。本考案におけるハードディスク内蔵型記録再生装置は、チューナー２と、アナログ／ディジタル変換回路３と、番組情報取得部４と、エンコーダー５と、ハードディスク記録再生装置６と、ディスク記録再生装置７と、コントローラーモジュール８と、デコーダー１０と、ディジタル／アナログ変換回路１１と、グラフィックコントローラー１２と、制御装置１３とから構成されている。
【００１７】
ハードディスク内蔵型記録再生装置１はテレビジョン装置１９と接続され、チューナー２が受信したテレビジョン放送をハードディスクやＤＶＤメディアに記録しまた、上記ハードディスクやＤＶＤメディアに記録された映像データをテレビジョン装置１９にて表示する。また、ハードディスクに記録した映像データをＤＶＤメディアに記録させることも可能である。
【００１８】
ハードディスク記録再生装置６は、内部に磁性体を塗布または蒸着した金属のハードディスク(「プラッタ」という)を一定の間隔で何枚も重ね合わせた構造になっており、これをモーターで高速に回転させて磁気ヘッドを近づけてデータを読み書きする。ハードディスク記録再生装置６に記録されるデータは後述するエンコーダー５によってＭＰＥＧ２方式のディジタルデータに変換されて記録されている。
【００１９】
ディスク状記録再生装置７は、内部にＤＶＤメディア等のディスク状記録媒体を配置し、ＤＶＤメディアにデータの読取りを行う。ＤＶＤメディア等のディスク状記録媒体は、後述するエンコーダー５によってＭＰＥＧ２方式のディジタルデータに変換されたデータが均等に配置されて記録されている。
【００２０】
ＤＶＤ等のディスク状記録媒体にデータを記録するには、ディスク記録再生装置７の内部に備えられたレーザー照射装置からディスクの表面にレーザー光を照射し記録してく。反対に、ディスク状記録媒体からデータを再生する場合は、レーザー照射装置からディスク状記録媒体にレーザーを照射し、ディスク状記録媒体からの反射光を検出してデータを読取る。
【００２１】
番組情報取得部４は、図示しないアンテナから受信したテレビジョン信号に多重化された電子番組表（ＥＰＧ）のデータを、テレビジョン放送から分離する。図２は電子番組表をテレビジョン装置等の表示ディスプレイに表示した図である。図より電子番組表はテレビジョン放送のチャンネル番号を列に放送時間を行に対応させ、対応する各マスにはテレビジョン放送の番組タイトルや内容などが記載されている。また、各マスにはＩＤナンバーが割り振られており、テレビジョン信号の各番組に対応する信号には、上記ＩＤナンバーに対応する番号が割り振られている。
【００２２】
（２）通常のデータ録画再生方法。
ハードディスク内蔵型記録再生装置１にてテレビジョン放送を録画する方法を説明する。このとき、ユーザーは事前に録画したい番組を電子番組表や刊行物を参考にリモコンＩ／Ｆ１７を介してリモコン２０から入力するか、操作パネル１８から入力することでテレビジョン放送の録画を行う。また、リモコン２０または操作パネル１８によって入力された予約情報は、ＲＡＭ１６で一端記録されその情報を基にマイコン１４がハードディスク内蔵型記録再生装置１を制御する。
【００２３】
図示されないアンテナが受信したテレビジョン信号がチューナー２に入力されると、チューナー２はテレビジョン信号を復調しアナログ／ディジタル変換装置３に出力する。アナログ／ディジタル変換装置３は、入力されたアナログ信号をディジタル信号に変換してエンコーダー５に出力する。エンコーダー５は入力されたディジタル信号をＭＰＥＧ２方式のディジタル信号に変換圧縮を行い、ハードディスク記録再生装置６に出力する。ハードディスク記録再生装置６はＭＰＥＧ２方式で変換圧縮されたデータを受け取り、内部のハードディスクに記録する。
【００２４】
ハードディスク記録再生手段１を用いて予約録画を行う方法として、ＯＳＤを用いてテレビジョン装置１９の表示画面に予約画面を表示させ、ユーザが上記予約画面を見ながらリモコン２０や操作パネル１８を操作する方法が知られている。
【００２５】
ハードディスク内蔵型記録再生装置１にて記録されたデータを再生する方法を説明する。ハードディスク記録再生装置６やディスク記録再生装置７を介してハードディスクや、ＤＶＤメディアに記録された映像データは、コントローラーモジュール８に出力され、コントローラーモジュール８内のバッファ９に一端記録される。その後コントローラーモジュール８は、マイコン１４からの指示をうけた後、バッファ９に記録したデータをデコーダー１０に出力する。デコーダー１０はＭＰＥＧ２方式で変換圧縮されたデータを再生可能なデータに伸張し、ディジタル／アナログ変換回路１１に出力する。ディジタル／アナログ変換回路１１は入力されたデータをアナログデータに変換し、グラフィックコントローラー１２に出力する。グラフィックコントローラー１２は、ハードディスク内蔵型記録再生装置１の外部に接続されたテレビジョン装置１９に上記伸張された映像データを出力する。
【００２６】
また、ハードディスク内蔵型記録再生装置１は、ハードディスク記録再生装置６で一端記録した映像データをディスク記録再生装置７を介してＤＶＤメディアに記録させることが可能である。ハードディスク記録再生装置６は内蔵するディスクに記録されたデータを読みだし、コントローラーモジュール８に出力する。コントローラーモジュール８は一端入力されたデータを内部にあるバッファ９に記録した後、マイコン１４からの指示を受けてディスク記録再生装置７に出力する。ディスク記録再生装置７は上記入力されたデータをＤＶＤメディア等のディスク状記録媒体に記録させる。
【００２７】
このとき、本発明の一実施形態であるハードディスク内蔵型記録再生装置１は、ディスク記録再生装置７に複数のＤＶＤメディアを配置し、ハードディスクに記録された映像データを記録させるＤＶＤメディアを選択するディスク選択部を有する構造とする。
【００２８】
（３）ディスク記録再生装置の構造
図３は、本発明の一実施形態であるディスク記録再生装置のブロック構成図である。ディスク状記録再生装置７は、チェンジャー２１と、記録再生部２２とディスク選択部２３とから構成されている。チェンジャー２１は、ディスク１、ディスク２、ディスク３を配置可能とし、ディスク選択部２３からの指示により、配置されたＤＶＤディスク１、ＤＶＤディスク２、ＤＶＤディスク３の中から所定のＤＶＤメディアを選択する。記録再生部２２は、選択されたＤＶＤメディアを用いて映像データの記録読み出しを実行する。
【００２９】
なお、本発明の一実施形態のチェンジャー２１はＤＶＤメディアを３個配置するが、ＤＶＤの配置可能数は３個にとらわれない。
【００３０】
ディスク選択部２３がハードディスクに記録された映像データを記録するＤＶＤメディアを選択する方法を説明する。ディスク選択部２３にＤＶＤメディアを選択させる方法として、ユーザ自らがＤＶＤメディアを選択する手動選択と、ハードディスク内蔵型記録再生装置１が自動で選択する自動選択の２つの方法がある。上記２つの方法はＯＳＤにテレビジョン装置１９の表示画面に表示された設定画面を見ながら、ユーザがリモコン２０または、操作パネル１８を用いて操作入力を行う。
【００３１】
図４は本発明の一実施形態におけるテレビジョン装置に表示される設定画面である。図よりチェンジャー２１に配置された３枚のディスクが左上部よりディスク１とディスク２とディスク３と表示され、各表示されたディスクの下には現在記録されているデータのタイトルが表示されている。図より現在ディスク１にはタイトル名がＡＡＡとＢＢＢとＣＣＣの３つのデータが記録され、その下には、各ディスクの残量を表示しディスク１の残量は１Ｇバイトである。さらに下に行って、ダビング予約タイトルと表示された欄には、予約録画予定のタイトルが表示されている。最後に右下に総ダビング数と表示された欄にはこれから録画する予定のデータの総時間が表示されている。これらのデータは番組情報取得部４が取得した電子番組表のデータを基に制御装置１３が作成したものであり、図示しないデータ記録日時やデータ量の情報を有する。
【００３２】
図より、ユーザがタイトルＡＡＡとＢＢＢとＣＣＣとＤＤＤとＥＥＥとＦＦＦの６タイトルをハードディスク記録再生装置６に記録した後、記録された各タイトルをＤＶＤメディア等のディスク状記録媒体にダビングする場合、図示するようにダビング予約タイトル欄に予約予定のタイトルが表示される。上記６タイトルの予約は、図示しない予約画面を用いてユーザが事前に予約録画入力を済ませている。ユーザは、右下の振り分け方法の欄に表示された「自動振り分け」と「手動振り分け」のどちらかをリモコン２０により選択する。
【００３３】
図５は上記選択画面においてマイコンが実行するフローチャートである。ユーザがリモコン２０を使用して選択画面を表示するよう指示を出すと、マイコン１４は、ＲＯＭ１５に記録された選択画面のデータをＲＡＭ１６に出力し、上記ＲＡＭ１６に出力された選択画面のデータをＯＳＤでテレビジョン装置１９の表示パネルに表示する（ステップＳ１００）。次にマイコン１４は番組情報取得部４が取得した電子番組表のデータを基にダビングするタイトルのダビングに掛かる総時間や容量を算出して選択画面に表示する（ステップＳ１０１）。次にユーザが予約画面の振り分け方法の欄で、自動振り分けを選択するとマイコン１４はステップ１０４に進む。一方、ユーザが「手動振り分け」を選択するとマイコン１４はステップＳ１０３に進みマイコン１４はユーザーから指示を受け付ける。「手動振り分け」を選択した場合、ディスク状記録媒体に記録するタイトルをユーザ自らがリモコン２０を用いて選択していくこととなる。以下に自動振り分けを選択した場合の動作を説明する。
【００３４】
ステップＳ１０４で、マイコン１４はダビング予約タイトル欄に表示されたタイトル名と各ディスクに記録されているタイトル名を比較し、選択画面上で、ダビング予約タイトル欄に表示された各タイトルを同名のタイトルが記録されているディスクの欄に振り分けける。今ディスク１にはタイトル名がＡＡＡとＢＢＢとＣＣＣのデータが記録され、ディスク２にはタイトル名がＤＤＤのデータが、ディスク３にはタイトル名がＥＥＥのデータがそれぞれ記録されている。よって、マイコンはＡＡＡとＢＢＢとＣＣＣのタイトルをディスク１の欄に振り分け、ＥＥＥであるタイトルをディスク３の欄に振り分ける。
【００３５】
このとき、タイトル名ＦＦＦは同様のタイトルがどのディスクにも記録されていない、このようなタイトル名が存在する場合、マイコン１４は以下の順序で振り分け先のディスク欄を決定する。まず、各ディスクに記録されたタイトルの中から先頭の一文字が同じタイトルが記録されたディスクを選択する。そのようなディスクが存在しない場合、次に、タイトル名がバラバラに記録されたディスクを選択する。そのようなディスクも存在しない場合には、ディスク１の欄に自動で振り分けられる。図６では、先頭の一文字が同じタイトルが記録されたディスクも、バラバラに記録されたディスクも存在しないため、ディスク１の欄に振り分けられることとなる。
【００３６】
上記のようにタイトルが各ディスク欄に振り分けられた後、ダビング予約画面では「完了」の文字が表示され、マイコン１４はユーザが「完了」を選択するまで待機する。このときユーザは自動で各ディスク欄に選択振り分けされた各タイトルをリモコン２０を用いて手動で再度選択し直すことが可能である。図６では、タイトルＦＦＦをディスク１に振り分けたためディスク１の空き容量が０Ｇバイトとなったため、タイトルＦＦＦをディスク２の欄に振り分け直すこととした。またこのとき、各ディスクの欄に選択振り分けされたタイトルの名称を変更することも可能である。例えば、ディスク２の欄に選択されたタイトルＦＦＦの名称をディスク２に記録されている他のタイトル名であるＤＤＤに変更する。これにより、次回からディスク２の欄にＦＦＦのタイトルが自動で振り分けられるのを防止することができる。
【００３７】
ユーザが上記調整を行い選択画面の「完了」を選択すると、マイコン１４は選択画面で表示された情報を基に実際の予約振り分け指示を作成する（ステップＳ１０５）。その後ユーザが図示しない他の予約画面で行った予約録画情報を基に、ハードディスク記録再生装置６にてハードディスクにすべての予約録画が実行されると、マイコン１４はディスク選択部２３へ選択画面の情報に基づいて作成された指示を出す。上記指示に基づいて、ディスク選択部２３は、チェンジャー２１にディスク状記録媒体の選択を行わせる。マイコン１４は選択されたディスク状記録媒体に、ハードディスクに記録された映像データのダビングを開始する。このとき、磁気ディスクへの記録と、磁気ディスクからディスク状記録媒体へのダビングは同時に行われることのないよう、マイコン１４は時間の調整を行う。
【００３８】
（４）変形例
上記した構造のハードディスク記録再生手段１において、選択画面での各ディスクに振り分ける方法として時間情報を利用して振り分けを行うことも可能である。上記電子番組表のデータには番組開始時間や、放映時間等の時間情報が含まれているので、上記電磁番組表の時間情報を使用することで、ハードディスクからディスク状記録媒体に映像データを記録することが可能である。
【００３９】
このことは例えば、毎週放送開始時間が一定である番組を３種類ずつハードディスク記録再生装置６を用いて磁気ディスク記録した後、上記放送開始時間に基づいて３種類の番組をディスク状記録媒体にダビングすることが可能である。
【００４０】
図７の選択画面において、ユーザがタイトルＣＣＣとＤＤＤとＦＦＦとの３タイトルをハードディスク記録再生装置６に記録した後、記録された各タイトルをＤＶＤメディア等のディスク状記録媒体にダビングする場合、図示するようにダビング予約タイトル欄に予約予定のタイトルが表示される。上記３タイトルの予約は、図示しない予約画面を用いてユーザが事前に予約録画入力を済ませている。今タイトル名ＣＣＣはＡＡＡと同時刻に放送されている番組であるとする。
【００４１】
図８は上記選択画面においてマイコンが実行するフローチャートである。ユーザがリモコン２０を使用して選択画面を表示するよう指示を出すと、マイコン１４は、ＲＯＭ１５に記録されたダビング予約画面のデータをＲＡＭ１６に出力し、上記ＲＡＭ１６に出力されたダビング予約画面のデータをＯＳＤでテレビジョン装置１９の表示パネルに表示する（ステップＳ２００）。次にマイコン１４は番組情報取得部４が取得した電子番組表のデータを基にダビングするタイトルのダビングに掛かる総時間や容量を算出してダビング予約画面に表示する（ステップＳ２０１）。次にユーザが予約画面の振り分け方法の欄で、自動振り分けを選択するとマイコン１４はステップ２０４に進む。一方、ユーザが「手動振り分け」を選択するとマイコン１４はステップＳ２０３に進みマイコン１４はユーザーから指示を受け付ける。
【００４２】
ステップＳ２０４で、マイコン１４はダビング予約タイトル欄に表示されたタイトル名の放送開始時刻と各ディスクに記録されている番組の放送開始時刻を比較し、ダビング予約画面上で、ダビング予約タイトル欄に表示された各タイトルを同時刻に放送されるタイトルが記録されているディスクの欄に振り分けける。今ディスク１にはタイトル名がＡＡＡのデータが記録され、これから予約録画されるＣＣＣは上記したＡＡＡと同時刻に放送されるものとする。よってマイコンはＣＣＣのタイトルをディスク１の欄に振り分け、ＤＤＤとＦＦＦとをディスク２の欄に振り分ける。
【００４３】
（５）まとめ
テレビジョン放送の映像データを入力してハードディスクまたはディスク状記録媒体の少なくとも一方から記録された映像データを読み出して外部に出力する記録再生装置において、ディスク状記録媒体を複数配置し、番組情報取得手段によって取得された番組情報を基に、複数のディスク状記録媒体の中から映像データの記録を行うディスク状記録媒体を選択し、上記選択されたディスク状記録媒体に、上記ハードディスクに記録された映像データを記録する。
【００４４】
請求項３に記載の記録再生装置は、請求項２に記載の記録再生装置に関して、上記ディスク選択手段は、上記複数のディスク状記録装置のうち上記映像データを記録するディスク状記録媒体を選択する操作入力を受け付けるとともに、選択されたディスク状記録媒体に記録される上記番組情報の条件の操作入力を受け付け、上記ディスク選択手段は、上記分離された番組情報と上記受け付けられた条件とを対比し、上記対比結果に従って上記分離された番組情報に対応した上記ディスク状記録媒体に分離された番組情報に対応する映像データを記録する構成である。 
【００４５】
つまり、請求項２に記載の記録再生装置に関して、ディスク選択手段は、複数のディスク状記録装置の中から上記映像データを記録するディスク状記録媒体を選択する操作入力と、選択されたディスク状記録媒体に記録される上記番組情報の条件の操作入力を受け付ける。そして、上記ディスク選択手段は、上記分離された番組情報と上記受け付けられた条件とを対比し、上記対比結果に従って上記分離された番組情報に対応した上記ディスク状記録媒体に分離された番組情報に対応する映像データを記録する。
【００４６】
請求項４に記載の記録再生装置は、請求項２または請求項３に記載の記録再生装置に関して、上記番組情報にはテレビジョン放送の番組のタイトルを表す情報が含まれ、上記ディスク選択手段は、上記分離された番組情報に含まれるタイトルに基づいて上記複数のディスク状記録媒体の中から上記映像データの記録を行うディスク状記録媒体を選択する構成とする。
【００４７】
つまり、請求項２または請求項３に記載の記録再生装置に関して、上記番組情報にはテレビジョン放送の番組のタイトルを表す情報が含まれている。そして、上記ディスク選択手段は、上記分離された番組情報に含まれるタイトルに基づいて上記複数のディスク状記録媒体の中から上記映像データの記録を行うディスク状記録媒体を選択する。
【００４８】
請求項５に記載の記録再生装置は、請求項２から請求項４のいずれかに記載の記録再生装置に関して、上記番組情報にはテレビジョン放送の番組の時間情報を表す情報が含まれ、上記ディスク選択手段は、上記分離された番組情報に含まれる時間情報に基づいて上記複数のディスク状記録媒体の中から上記映像データの記録を行うディスク状記録媒体を選択する構成とする。
【００４９】
つまり、請求項２から請求項４のいずれかに記載の記録再生装置に関して、上記番組情報にはテレビジョン放送の番組の時間情報を表す情報が含まれる。そして、上記ディスク選択手段は、上記分離された番組情報に含まれる時間情報に基づいて上記複数のディスク状記録媒体の中から上記映像データの記録を行うディスク状記録媒体を選択する。
【００５０】
請求項６に記載の記録再生装置は、請求項２〜請求項５のいずれかに記載の記録再生装置に関して、上記番組情報取得手段が取得する番組情報は電子番組表である構成である。
【００５１】
つまり、請求項２〜請求項５のいずれかに記載の記録再生装置に関して、上記番組情報取得手段が取得する番組情報は電子番組表である。
【００５２】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。
【図面の簡単な説明】
【００５３】
【図１】ハードディスク内蔵型記録再生装置のブロック図である。
【図２】電子番組表をテレビジョン装置等の表示ディスプレイに表示した図である。
【図３】ディスク記録再生装置のブロック構成図である。
【図４】テレビジョン装置に表示される設定画面である。
【図５】選択画面においてマイコンが実行するフローチャートである。
【図６】同様のタイトルがどのディスクにも記録されていない場合の振り分けを示した図である。
【図７】テレビジョン装置に表示される選択画面の図である。
【図８】選択画面においてマイコンが実行するフローチャートである。
【符号の説明】
【００５４】
１…ハードディスク内蔵型記録再生装置
２…チューナー
３…アナログ／ディジタル変換回路
４…番組情報取得手段
５…エンコーダー
６…ハードディスク記録再生装置
７…ディスク記録再生装置
８…コントローラーモジュール
９…バッファ
１０…デコーダー
１１…ディジタル／アナログ変換回路
１２…グラフィックコントローラー
１３…制御装置
１４…マイコン
１５…ＲＯＭ
１６…ＲＡＭ
１７…リモコンＩ／Ｆ
１８…操作パネル
１９…テレビジョン装置
２０…リモコン
２１…チェンジャー
２２…記録再生部
２３…ディスク選択部
【図１】
2007141412.tif 000003
【図２】
2007141412.tif 000004
【図３】
2007141412.tif 000005
【図４】
2007141412.tif 000006
【図５】
2007141412.tif 000007
【図６】
2007141412.tif 000008
【図７】
2007141412.tif 000009
【図８】
2007141412.tif 000010